(57)【要約】【課題】ノンリニアバンクシステムにおける登録／プレビュー操作端末を使用することによって、Ｗｅｂプレビュー素材を生成し、視聴することを可能とする。【解決手段】Ｗｅｂプレビュー素材を生成するため、ＶＴＲ等の素材をマトリックススイッチャーに入力しサーバへ収録する際に、通常構成上含まれる登録／プレビュー操作端末用のＮＴＳＣ入力ボードを使用することでＷｅｂプレビュー用のメディアファイルを生成し、Ｗｅｂサーバに蓄積することで、プレビューを可能とする【選択図】図２
2010183264.tif 000002
【特許請求の範囲】
【請求項１】
入力された素材データを送出用サーバに登録し放送する登録コントローラを有し、該送出用サーバに登録された素材データを放送するノンリニアバンクシステムにおけるＷｅｂプレビュー素材生成システムにおいて、
Ｗｅｂプレビュー用のメディアファイルを生成するＮＴＳＣ信号操作端末と、該生成されたＷｅｂプレビュー用のメディアファイルを伝送するネットワーク系統と、該ネットワーク系統を介して該Ｗｅｂプレビュー素材を蓄積するＷｅｂサーバと、を備え、
前記登録コントローラは、さらに、前記ＮＴＳＣ信号操作端末を制御して、前記生成されたＷｅｂプレビュー用のメディアファイルを、前記Ｗｅｂサーバに蓄積することを特徴とするＷｅｂプレビュー素材生成システム。
【発明の詳細な説明】
【技術分野】
【０００１】
本発明はノンリニアバンクシステムにおけるＷｅｂプレビュー機能に関する。
【背景技術】
【０００２】
従来、ノンリニアバンクシステムとしてはＷｅｂプレビューをするために専用のＳＤＩ（ Serial Digital Interface ）入力ボードから信号を入力しＷｅｂエンコーダ用ＰＣ（ Personal Computer ）を使用し、素材生成を行っていた。
即ち、ノンリニアバンクシステムの登録／プレビュー操作端末は、その操作画面上に映像キャプチャを表示するため、ＮＴＳＣ（ National Television System Committee ）方式の入力ボードを実装する系統をとっている。
図１によって、従来のＷｅｂプレビュー素材生成操作を説明する。図１は、従来のノンリニアバンクシステムの登録／プレビュー操作に関わるシステム構成を説明するための図である。１０１−１と１０１−２はＶＴＲ（ Video Tape Recorder ）、１０２はマトリックススイッチャ、１０３−１と１０３−２はＳＤＩ入力ボード、１０４−１と１０４−２はＷｅｂエンコーダ用ＰＣ、１０５はＷｅｂサーバ、１０６は送出サーバ、１０７は登録コントローラ、１０８−１と１０８−２はキャプチャ用Ｄ／Ａ（ Digital to Analog ）コンバータ、１０９−１と１０９−２はＮＴＳＣ入力ボード、１１０−１と１１０−２は登録／プレビュー端末である。
【０００３】
図１において、システム構成は、信頼性維持の必要性から２重系となっている。符号のサフィックス１（…−１）が現用系、サフィックス２（…−２）が予備系を示す。
また、ノンリニアバンクシステムの制御は、予め登録されたアプリケーションソフトウエア若しくは操作者の操作に基づいて、登録コントローラ１０７が、制御系統を介して実行する。例えば、現用系と予備系の切替えは、登録コントローラ１０７若しくは上位制御装置（図示せず）の制御によって、マトリックススイッチャ１０２で行われる。
【０００４】
図１において、まず、ファイリング時には、ＶＴＲ（ＶＴＲ１０１−１若しくはＶＴＲ１０１−２）は、ファイルすべき素材を再生し、デジタル系統を伝送路として、マトリックススイッチャ１０２に出力する。
マトリックススイッチャ１０２は、入力された素材データを、デジタル系統を伝送路として、送信サーバ１０６に出力する。送信サーバ１０６は、入力されたソザオデータを収録し、登録コントローラ１０７の制御に応じて、収録された素材を、番組プログラムに従って、放送（オンエア：ＯＡ）する。
一方、マトリックススイッチャ１０２は、送出サーバ１０６に素材データを収録する際に、同時に、デジタル系統を伝送路として、ＳＤＩ入力ボード１０３−１若しくは１０３−２を実装している、Ｗｅｂエンコーダ用ＰＣ１０４−１及び１０４−２に出力する。Ｗｅｂエンコーダ用ＰＣ１０４−１及び１０４−２は、入力された素材データから、それぞれ、登録コントローラ１０７の制御によって、Ｗｅｂプレビュー用のメディアファイルを生成して、ネットワーク系統を伝送路として、Ｗｅｂサーバ１０５に出力する。Ｗｅｂサーバ１０５は、入力されたＷｅｂプレビュー用のメディアファイルを蓄積する。
【先行技術文献】
【特許文献】
【０００５】
【特許文献１】特開２００７−１９４７０９号公報
【発明の概要】
【発明が解決しようとする課題】
【０００６】
上記のように生成され、Ｗｅｂサーバに蓄積されたメディアファイルは、ネットワーク系統を介し、社内端末に伝送可能であるため、社内端末からＷｅｂ素材のプレビュー（Ｗｅｂプレビュー）が可能となる。
しかしながら、社内端末によるＷｅｂプレビューは、あくまで、映像確認用のＰＣ表示で使用するだけであるのに対し、Ｗｅｂプレビューのための映像データを取込むためには、専用のＳＤＩ入力ボードとボード実装用のＷｅｂエンコーダＰＣを別途用意する必要があり、さらにＷｅｂプレビュー素材を生成するための系統を別に用意する必要があるのでコスト高となっていた。
【課題を解決するための手段】
【０００７】
上記の課題を解決するために、本発明は、ＶＴＲ等から取得される素材データをマトリックススイッチャを介して送出サーバに収録する際に、別のデジタル系等を伝送路として、当該素材データを、マトリックススイッチャから、素材収録及びプレビュー系統を使用し、通常構成上含まれる登録及びプレビュー操作端末用のＮＴＳＣ入力ボードを使用することでＷｅｂ素材の生成し、プレビューを可能としたものである。
即ち、本発明のＷｅｂプレビュー素材生成システムは、入力された素材データを送出用サーバに登録し放送する登録コントローラを有し、該送出用サーバに登録された素材データを放送するノンリニアバンクシステムにおいて、Ｗｅｂプレビュー用のメディアファイルを生成するＮＴＳＣ信号操作端末と、該生成されたＷｅｂプレビュー用のメディアファイルを伝送するネットワーク系統と、該ネットワーク系統を介して該Ｗｅｂプレビュー素材を蓄積するＷｅｂサーバと、を備え、前記登録コントローラは、さらに、前記ＮＴＳＣ信号操作端末を制御して、前記生成されたＷｅｂプレビュー用のメディアファイルを、前記Ｗｅｂサーバに蓄積するものである。
また、好ましくは、前記Ｗｅｂサーバは、蓄積されたＷｅｂプレビュー素材を前記ネットワーク系統を介してイントラ端末に提供するものである。
【発明の効果】
【０００８】
本発明は、ノンリニアバンクシステムとして登録及びプレビュー操作端末用のＮＴＳＣ入力ボード使用して映像キャプチャリングを行うことで、メディアファイルを生成し、Ｗｅｂプレビューを行うことが可能となる。これにより従来より使用してたＳＤＩ入力ボード、Ｗｅｂエンコーダ用ＰＣ、マトリックススイッチャーの出力系統等が削減でき、低コストでのＷｅｂプレビュー機能を有することが可能となる。
【図面の簡単な説明】
【０００９】
【図１】従来のＷｅｂプレビュー素材生成操作を説明するためのノンリニアバンクシステムの構成を示す図。
【図２】本発明の一実施例のＷｅｂプレビュー素材生成操作を説明するためのノンリニアバンクシステムの構成を示す図。
【発明を実施するための形態】
【００１０】
以下、添付図面を参照しながら本発明の実施形態を詳細に説明する。なお、従来例の図１での説明と同一の機能を有する構成要素には同一の参照番号を付し、説明を省略する。
【実施例１】
【００１１】
図２によって、本発明のＷｅｂプレビュー素材生成操作を説明する。図２は、従来のノンリニアバンクシステムの登録／プレビュー操作に関わるシステム構成を説明するための図である。
図２は、本発明の一実施例のＷｅｂプレビュー素材生成操作を説明するためのノンリニアバンクシステムの構成を示す図である。２０７は登録コントローラである。本発明の図２は、図１の登録コントローラ１０７に対して、ノンリニアバンクシステムを制御するための予め登録されたアプリケーションソフトウエアが異なる。即ち、従来のＷｅｂエンコーダ用ＰＣ１０４−１若しくは１０４−２と同様の機能動作を制御するアプリケーションソフトウエアが、さらに、登録コントローラ１０７に追加されているものである。
【００１２】
通常、ノンリニアバンクシステムの登録／プレビュー操作端末１１０−１（若しくは１１０−２）は、操作画面上に映像キャプチャを表示するため、図２に示すＮＴＳＣ入力ボード１０９−１（若しくは１０９−２）を実装する系統をとっている。
即ち、マトリックススイッチャ１０２は、デジタル系統を伝送路として、素材データをＤ／Ａコンバータ１０８−１及び１０８−２に出力する。Ｄ／Ａコンバータ１０８−１及び１０８−２はそれぞれ、デジタルデータをアナログ映像信号に変換して、ＮＴＳＣ入力ボード１０９−１及び１０９−２にアナログ系統を伝送路として出力する。ＮＴＳＣ入力ボード１０９−１若しくは１０９−２に入力された映像信号は、登録／プレビュー操作端末１１０−１若しくは１１０−２の表示画面に表示される。
【００１３】
図１に示す、ＮＴＳＣ入力ボード１０９−１（若しくは１０９−２）を実装した登録／プレビュー操作端末１１０−１若しくは１１０−２における、従来の機能は、あくまでも映像確認用に、登録／プレビュー操作端末１１０−１若しくは１１０−２の表示画面に表示するだけである。
図２の実施例では、登録コントローラ１０７は、上記のＮＴＳＣ入力ボード１０９−１（若しくは１０９−２）を実装した登録／プレビュー操作端末１１０−１及び１１０−２の、ＮＴＳＣ入力系統を使用し、従来の映像確認用の表示に加えて、アナログ信号の映像キャプチャリングを行い、登録／プレビュー操作端末１１０−１及び１１０−２の制御を行う。
これによって、登録／プレビュー操作端末１１０−１及び１１０−２は、それぞれ、Ｗｅｂプレビュー用のメディアファイルを生成し、ネットワーク系統を伝送路として、Ｗｅｂサーバ１０５に伝送する。Ｗｅｂサーバ１０５は、受信したメディアファイルを蓄積し、従来と同様に、社内端末よりＷｅｂ素材のプレビューを行うことができる。
【００１４】
上述したように、図２の実施例では、専用のＳＤＩ取込みボード（ＳＤＩ入力ボード）とボード実装用のＷｅｂエンコーダ用ＰＣが不要となり、かつ、Ｗｅｂプレビュー素材を生成するための系統を別に用意する必要がなくなる。この結果、ノンリニアバンクシステムの生産コスト及びランニングコストを低減することができた。
【００１５】
なお、図２の実施例では、登録コントローラ２０７のアプリケーションソフトウエアが従来の図１の登録コントローラ１０７と異なるとして説明した。
しかし、さらに、登録／プレビュー端末１１０−１及び１１０−２に、従来のＷｅｂエンコーダ用ＰＣ１０４−１若しくは１０４−２と同様の機能動作を制御するアプリケーションソフトウエアが内蔵されていても良い。又は、登録コントローラ２０７から、ダウンロードされるか若しくは利用可能とするようにしても良い。
なお、上記実施例では、ＶＴＲから再生された映像データがマトリックススイッチャに入力されるが、ＶＴＲだけでなく、デジタルデータに変換されたえいぞうであれば、どのような映像生成装置若しくは映像伝送装置から入力されても良いことは勿論のことである。
【００１６】
本発明ではノンリニアバンクシステムとして登録／プレビュー操作端末用のＮＴＳＣ入力ボード使用して映像キャプチャリングを行うことで、メディアファイルを生成し、Ｗｅｂプレビューを行うことが可能となる。これにより従来より使用してたＳＤＩ入力ボード、ＷｅｂエンコーダＰＣ、マトリックススイッチャーの出力系統等が削減でき、低コストでのＷｅｂプレビュー機能を有することが可能となる。
【符号の説明】
【００１７】
１０１−１、１０１−２：ＶＴＲ、  １０２：マトリックススイッチャ、  １０３−１、１０３−２：ＳＤＩ入力ボード、  １０４−１、１０４−２：Ｗｅｂエンコーダ用ＰＣ、  １０５：Ｗｅｂサーバ、  １０６：送出サーバ、  １０７：登録コントローラ、  １０８−１、１０８−２：キャプチャ用Ｄ／Ａコンバータ、  １０９−１、１０９−２：ＮＴＳＣ入力ボード、  １１０−１、１０−２：登録／プレビュー端末、  ２０７：登録コントローラ。
【図１】
2010183264.tif 000003
【図２】
2010183264.tif 000004